(57)【要約】【課題】熱交換器の熱交換効率を高めた運転と対流ファンの静音性を高めた運転とを備える密閉式石油温風暖房機を提供する。【解決手段】火力制御部４２は、火力設定部４１が設定した設定火力にバーナの火力を制御する。対流ファン３４からの送風は、熱交換器２８において燃焼排ガスと熱交換してから、室内へ供給される。対流ファン制御部４３は、送風流量マップに設定火力を適用して設定送風流量を求め、対流ファン３４の送風流量を設定送風流量に制御する。送風流量マップ切替部４４は、送風流量がバーナ火力の制御範囲において高流量の第１特性マップと低流量の第２特性マップにユーザ指示に応じて送風流量マップを切替える。【選択図】図２
2015017714.tif 000002
【特許請求の範囲】
【請求項１】
石油を、屋外から吸入された空気と混合して燃焼させるバーナと、
前記石油の燃焼により生じた燃焼排ガスを屋外へ導く排気通路と、
両端が室内に連通した対流通路と、
前記対流通路の一端から他端へ室内空気を流す対流ファンと、
前記排気通路の燃焼排ガスと前記対流通路の室内空気との間で熱交換を行わせる熱交換器と、
所定の暖房条件に応じて前記バーナの火力を所定の火力制御範囲内で設定火力として設定する火力設定部と、
前記火力設定部が設定した設定火力にバーナの火力を制御する火力制御部と、
前記火力制御範囲におけるバーナ火力に対して、前記対流ファンの送風流量を設定する送風流量マップに、前記火力設定部で設定された設定火力を適用して、該設定火力に対応する前記対流ファンの送風流量を設定送風流量として求め、該設定送風流量に前記対流ファンの送風流量を制御する対流ファン制御部と、
ユーザの指示に応じて、前記送風流量マップを、前記火力制御範囲の最小火力と最大火力とをそれぞれ前記対流ファンの所定の送風流量制御範囲における最小送風流量と最大送風流量とに対応付けるとともに、前記火力制御範囲において前記バーナの火力の増大に連れて前記対流ファンの送風流量が増大する第１特性マップと、前記最小火力と前記最大火力との間の火力としての中間火力を設定し、前記最小火力と前記中間火力とをそれぞれ前記最小送風流量と前記最大送風流量とに対応付けるとともに、前記最小火力と前記中間火力との間の火力範囲では、前記対流ファンの送風流量が前記第１特性マップよりも大きい側に設定されている第２特性マップとに切替える送風流量マップ切替部とを備えることを特徴とする密閉式石油温風暖房機。
【請求項２】
請求項１記載の密閉式石油温風暖房機において、
前記第２特性マップは、前記中間火力と前記最大火力との間の火力範囲では、前記対流ファンの送風流量が前記最大送風流量に設定されていることを特徴とする密閉式石油温風暖房機。
【発明の詳細な説明】
【技術分野】
【０００１】
本発明は、密閉式石油温風暖房機に関する。
【背景技術】
【０００２】
従来より、給湯装置や暖房機等の燃焼装置においては、バーナの燃焼状態が良好に維持されるように、バーナに燃焼用空気を供給する燃焼ファンの回転速度が制御されている（例えば特許文献１〜３参照）。
【０００３】
また、バーナを備えた燃焼装置として、密閉式石油温風暖房機が普及している。密閉式石油温風暖房機は、屋外及び室内から空気を吸入し、燃料としての石油（厳密には灯油）を屋外空気とバーナにおいて混合して、燃焼させ、燃焼により生じた燃焼排ガスを屋外に排出する。そして、燃焼排ガスは、屋外排出前に熱交換器において室内空気と熱交換を実施し、熱交換により加熱された室内空気が室内に戻されている。密閉式石油温風暖房機は、石油の燃焼のために室内の空気を使用せず、また、燃焼排ガスを室内に排出しないので、室内の空気を清潔に維持することができる。
【０００４】
密閉式石油温風暖房機は、燃焼ファンの他に、室内空気を、熱交換器を経由して対流させるための対流ファンを備えており、バーナの燃焼状態を良好に維持するとともに、熱交換器における熱交換効率が高いことが要求される。
【０００５】
さらに、密閉式石油温風暖房機は室内に設置されるため、暖房運転時の静音性が重視される場合もある。
【先行技術文献】
【特許文献】
【０００６】
【特許文献１】特許第３５７１７７４号公報
【特許文献２】特開平５−１１８５３３号公報
【特許文献３】実開昭５９−１９５３６８号公報
【発明の概要】
【発明が解決しようとする課題】
【０００７】
本発明は、上記背景に鑑みてなされたものであり、熱交換器により室内空気を加熱する際の熱交換効率を高めるという要求と、静音性を高めるという要求に応えた密閉式石油温風暖房機を提供することを目的とする。
【課題を解決するための手段】
【０００８】
本発明の密閉式石油温風暖房機は、石油を、屋外から吸入された空気と混合して燃焼させるバーナと、前記石油の燃焼により生じた燃焼排ガスを屋外へ導く排気通路と、両端が室内に連通した対流通路と、前記対流通路の一端から他端へ室内空気を流す対流ファンと、前記排気通路の燃焼排ガスと前記対流通路の室内空気との間で熱交換を行わせる熱交換器と、所定の暖房条件に応じて前記バーナの火力を所定の火力制御範囲内で設定火力として設定する火力設定部と、前記火力設定部が設定した設定火力にバーナの火力を制御する火力制御部と、前記火力制御範囲におけるバーナ火力に対して、前記対流ファンの送風流量を設定する送風流量マップに、前記火力設定部で設定された設定火力を適用して、該設定火力に対応する前記対流ファンの送風流量を設定送風流量として求め、該設定送風流量に前記対流ファンの送風流量を制御する対流ファン制御部と、ユーザの指示に応じて、前記送風流量マップを、前記火力制御範囲の最小火力と最大火力とをそれぞれ前記対流ファンの所定の送風流量制御範囲における最小送風流量と最大送風流量とに対応付けるとともに、前記火力制御範囲において前記バーナの火力の増大に連れて前記対流ファンの送風流量が増大する第１特性マップと、前記最小火力と前記最大火力との間の火力としての中間火力を設定し、前記最小火力と前記中間火力とをそれぞれ前記最小送風流量と前記最大送風流量とに対応付けるとともに、前記最小火力と前記中間火力との間の火力範囲では、前記対流ファンの送風流量が前記第１特性マップよりも大きい側に設定されている第２特性マップとに切替える送風流量マップ切替部とを備えることを特徴とする。
【０００９】
本発明によれば、ユーザの指示に応じて、バーナの火力と対流ファンの送風流量との関係が第１特性マップ又は第２特性マップに設定される特性に切替えられる。第１特性マップでは、第２特性マップに対して対流ファンの送風流量が小さく設定されているので、密閉式石油温風暖房機を、静音性を高めて、使用することができる。
【００１０】
第２特性マップでは、第１特性マップに対して対流ファンの送風流量が大きく設定されているので、熱交換器における熱交換効率を高めて、密閉式石油温風暖房機を使用することができる。
【００１１】
このように、本発明によれば、第１特性マップを用いることで、静音性を高めるという要求に応えることができる。また、第２特性マップを用いることで、熱交換器により室内空気を加熱する際の熱交換効率を高めるという要求に応えることができる。
【００１２】
本発明において、前記第２特性マップは、前記中間火力と前記最大火力との間の火力範囲では、前記対流ファンの送風流量が前記最大送風流量に設定されていることが好ましい。
【００１３】
この構成よれば、第２特性マップは、中間火力と最大火力との間の火力範囲においても、対流ファンの送風流量が設定されているとともに、該火力範囲では、対流ファンの送風流量が最大送風流量に設定されている。したがって、ユーザは、該火力範囲において、第２特性マップが選択されることにより、対流ファンの送風流量を高めて、密閉式石油温風暖房機の熱効率を高めることができる。
【図面の簡単な説明】
【００１４】
【図１】（ａ）及び（ｂ）はそれぞれ据付け状態における密閉式石油温風暖房機の概略的な正面図及び側面図。
【図２】密閉式石油温風暖房機の主要部の構成図。
【図３】密閉式石油温風暖房機の対流ファン制御において制御器が参照する送風流量マップにおけるバーナ火力と送風流量との関係を示す図。
【図４】対流ファンの制御ルーチンのフローチャート。
【発明を実施するための形態】
【００１５】
図１を参照して、密閉式石油温風暖房機１の外部構造について概略的に説明する。密閉式石油温風暖房機１は、背面側において壁３の室内側の面との間に十分な距離を空けて部屋の床２の上に載置される。壁３は、内面側が室内であり、外面側が屋外になっている。
【００１６】
密閉式石油温風暖房機１は、本体６と、床２に置かれて上側に本体６を載せられる置き台７とを備える。本体６は、正面に温風吹出し部８、表示部９及び操作部１０を備える。本体６は、背面上部に吸気口１３を備える。
【００１７】
温風吹出し部８は、本体６の正面の大部を占め、密閉式石油温風暖房機１の運転時では温風が本体６内から本体６の外部としての室内へ吹き出される。表示部９及び操作部１０は、密閉式石油温風暖房機１の正面視で温風吹出し部８の右下に上下に並んで配備される。
【００１８】
表示部９には、時刻や設定温度の数値表示部、及び運転ランプ等が配備される。なお、運転ランプは、運転スイッチを兼ね、押下されるごとに、運転スイッチがオンとオフとを交互に繰り返される。運転ランプは、運転スイッチのオン時に点灯し、オフ時に消灯する。
【００１９】
操作部１０は、火力調節部、室温設定部、及びタイマボタン等が配備される。火力調節部は、「自動」、「微小」、「小」、「中」及び「大」の５つのうちからいずれか１つを選択するスライドつまみを備える。「微小」、「小」、「中」及び「大」は、手動操作で火力を調節する場合の４段階の火力に対して小さい順に割当てた呼び名である。
【００２０】
給排気筒１５は、外側管と内側管との二重管構造になっており、壁３を貫通し、両端をそれぞれ屋外及び室内に突出させている。排気管１６は、両端を本体６と給排気筒１５の外側管の室内側端部とに接続されて、本体６内で生成された燃焼排ガスを給排気筒１５の外側管を介して、屋外へ導く。給気ホース１７は、両端を本体６と給排気筒１５の内側管とに接続されて、給排気筒１５の内側管を介して屋外の空気を本体６内へ導く。
【００２１】
図２を参照して、密閉式石油温風暖房機１における制御関連の構成について説明する。
【００２２】
バーナ２０には、燃料供給部２２から燃料としての石油（厳密には灯油）を供給され、燃焼ファン２３からは燃焼用空気が供給される。燃料供給部２２には、配管（図示せず）を介して屋外の燃料タンクから燃料が供給される。バーナ２０における火力は、燃料供給部２２からバーナ２０への燃料の供給流量が増大するに連れて、増大する。
【００２３】
燃焼ファン２３は、給気ホース１７を介して屋外から吸入した燃焼用空気をバーナ２０に供給する。燃焼ファン２３は、図示していない駆動モータにより駆動され、制御器４０は、該駆動モータの駆動電圧を増減して燃焼ファン２３の回転速度を変更することにより燃焼用空気の供給流量を制御する。
【００２４】
バーナ２０は、燃料供給部２２から供給された燃料を、燃焼ファン２３から供給される燃焼用空気と混合して、燃焼室２１に燃焼炎を生成する。燃料は、燃焼室２１において燃焼した後、燃焼排ガスとなる。
【００２５】
排気通路としての内部排気管２７は、水平方向に長手方向を揃えて、燃焼室２１の上側に配設される。内部排気管２７は、一端側において連通管２９を介して燃焼室２１に接続され、他端側において接続口３０を介して外部の排気管１６（図１）へ接続されている。燃焼排ガスは、燃焼室２１から内部排気管２７に導入され、接続口３０及び排気管１６を経て屋外に排出される。熱交換器２８は、内部排気管２７に配設され、内面側には、屋外排出前の燃焼排ガスが通過する。
【００２６】
対流ファン３４は、横流ファン形式であり、回転軸を水平に揃えて、熱交換器２８の上側に配設され、駆動モータ３５により駆動される。対流通路３７は、両端において温風吹出し部８及び吸気口１３に接続され、対流ファン３４及び熱交換器２８を巡るようにして、本体６内に形成される。温風吹出し部８及び吸気口１３は、対流通路３７の空気流出口及び空気流入口となる。
【００２７】
対流ファン３４が駆動モータ３５により回転駆動されると、室内の空気は、吸気口１３から対流通路３７内に導入され、対流ファン３４の吐出側から熱交換器２８の外面側に吹き付けられる。該室内空気は、熱交換器２８内の燃焼排ガスと熱交換してから、さらに、対流通路３７内を通って、温風吹出し部８から本体６の外としての室内へ吹き出される。
【００２８】
制御器４０は、火力設定部４１、火力制御部４２、対流ファン制御部４３及び送風流量マップ切替部４４を備える。制御器４０は、基板上にマイクロプロセッサを備える。マイクロプロセッサは、ＲＡＭ、プログラムが記憶されるＲＯＭ、及びフラッシュメモリを一体に備えるか、又はそれらと外部接続され、ＲＯＭから読み出した各種プログラムを実行する。火力設定部４１、火力制御部４２、対流ファン制御部４３及び送風流量マップ切替部４４は、プログラムの実行に伴い実現されるソフト上の機能である。
【００２９】
制御器４０は、操作部１０におけるユーザ指示や、室温センサ（図示せず）等からの入力に基づいてバーナ２０への燃料の供給流量、並びに燃焼ファン２３及び駆動モータ３５の回転速度（駆動電圧）を制御する。
【００３０】
火力設定部４１及び火力制御部４２によるバーナ２０の火力（以下、「バーナ火力」という）の設定及び制御について説明する。火力設定部４１は、バーナ火力を設定し（以下、設定したバーナ火力を「設定火力」という。）、火力制御部４２は、バーナ火力を設定火力に制御する。設定火力が大きいほど、バーナ２０への燃料の供給流量が増大し、バーナ火力が上昇する。
【００３１】
火力制御部４２によるバーナ火力の制御は、燃料供給部２２からバーナ２０への燃料供給の流量の制御と、燃焼ファン２３からバーナ２０への燃焼用空気の供給流量の制御とにより行われる。最初に、燃料供給部２２からバーナ２０への燃料供給の流量の制御について説明し、次に、燃焼ファン２３からバーナ２０への燃焼用空気の供給流量の制御について説明する。
【００３２】
火力制御部４２は、燃料供給部２２からバーナ２０への燃料の供給流量を燃料供給部２２における比例弁（図示せず）の開度により制御する。該比例弁の開度が増大するほど、燃料供給流量は増大し、それに伴いバーナ火力は増大する。
【００３３】
火力設定部４１は、操作部１０において、手操作による火力調節の「微小」、「小」、「中」又は「大」が選択されている場合は、設定火力を、それぞれ「微小」、「小」、「中」又は「大」に固定する。火力制御部４２は、「微小」、「小」、「中」及び「大」の設定火力に対し、その順番に燃料供給部２２の比例弁の開度を増大させる。
【００３４】
火力設定部４１は、操作部１０における火力調節が「自動」に選択されている場合は、室温センサ（図示せず）が検出した室温Ｔrとユーザが設定した室温Ｔdとの差に応じて、設定火力を決める。
【００３５】
Ｔhを所定値と定義して、制御器４０による火力制御について説明する。制御器４０は、一定時間ごとに、Ｔrを室温センサから取得する。火力設定部４１は、Ｔd＞Ｔr＋Ｔhであれば、設定火力を所定量Δ、増大させる。火力設定部４１は、Ｔd＜Ｔr−Ｔh であれば、設定火力を所定量Δ、減少させる。火力設定部４１は、Ｔr−Ｔh≦Ｔd≦Ｔr＋Ｔhであれば、現在の設定火力を維持する。火力制御部４２は、設定火力が大きいほど、燃料供給部２２の比例弁の開度を増大させて、バーナ火力を増大させる。
【００３６】
火力制御部４２は、火力制御範囲内（後述の図３のＲmin〜Ｒmax）の任意のバーナ火力に対してバーナ２０における空気充填率が一定になるように、燃焼ファン２３からバーナ２０への燃焼用空気の供給流量を制御する。
【００３７】
ここで、空気充填率とは、バーナ２０に供給される空気及び燃料の重量流量をそれぞれＷa，Ｗfと定義すると、空気充填率＝｛Ｗa／（Ｗa＋Ｗf）｝×１００％と定義される。火力制御部４２は、火力制御範囲内の任意のバーナ火力に対してもバーナ２０における空気充填率が一定になるようにするために、バーナ火力の増大に連れて、燃焼ファン２３の回転速度を増大させ、燃焼ファン２３からバーナ２０への燃焼用空気の供給流量を増大させる。
【００３８】
図３は、制御器４０による対流ファン制御ルーチン（図４）の実行の際に参照される標準特性マップＦ１及び効率優先特性マップＦ２が規定するバーナ火力Ｒ−送風流量Ｇの特性関係を示している。該特性関係に係るデータは、送風流量マップとして制御器４０のＲＯＭに記憶され、対流ファン制御部４３が、対流ファン３４の送風流量を制御する際に、適宜、参照される。
【００３９】
図３において、横軸はバーナ火力Ｒであり、縦軸は、対流ファン３４の送風流量Ｇである。対流ファン制御部４３は、各時点のバーナ火力Ｒを火力制御部４２から入力し、認識する。
【００４０】
図３において、Ｒmin，Ｒmaxは、バーナ火力Ｒの制御範囲の下限（最小火力）及び上限（最大火力）である。Ｇmin，Ｇmaxは、対流ファン３４の送風流量Ｇの送風流量制御範囲の下限（最小送風流量）及び上限（最大送風流量）である。なお、Ｒmin＞０である。また、バーナ火力Ｒiは、Ｒmin＜Ｒi＜Ｒmaxとして、すなわちＲminとＲmaxとの間の中間火力である。
【００４１】
手操作による火力調節における「微小」、「小」、「中」及び「大」と図３のバーナ火力Ｒとの対応関係を説明する。Ｒminは「微小」に対応するバーナ火力である。Ｒmaxは「大」に対応するバーナ火力である。Ｒiは例えば「中」に対応するバーナ火力である。
【００４２】
標準特性マップＦ１のＲ−Ｇ特性は、図３において両端を（Ｒmin，Ｇmin）及び（Ｒmax，Ｇmax）とする線分になっている。すなわちバーナ火力ＲminとＲmaxとがそれぞれ対流ファン３４の送風流量ＧminとＧmaxとに対応付けられている。
【００４３】
効率優先特性マップＦ２のＲ−Ｇ特性は、図３において（Ｒmin，Ｇmin）と（Ｒi，Ｇmax）とを結ぶ線分と、（Ｒi，Ｇmax）と（Ｒmax，Ｇmax）とを結ぶ線分との結合線になっている。すなわち、効率優先特性マップＦ２のＲ−Ｇ特性では、バーナ火力ＲminとＲiとがそれぞれ対流ファン３４の送風流量ＧminとＧmaxとに対応付けられている。
【００４４】
効率優先特性マップＦ２は、バーナ火力Ｒが、Ｒmin＜Ｒ≦Ｒiの火力範囲内にある場合も、Ｒi≦Ｒ＜Ｒmaxの火力範囲内にある場合も、送風流量Ｇが標準特性マップＦ１の送風流量Ｇよりも大きい側に設定されている。
【００４５】
標準特性マップＦ１と効率優先特性マップＦ２とを対比すると、標準特性マップＦ１は、バーナ火力Ｒの制御範囲の全体（Ｒmin〜Ｒmax）にわたり、バーナ火力Ｒの増大に連れて対流ファン３４の送風流量が増大する特性となっている。これに対し、効率優先特性マップＦ２は、バーナ火力Ｒの制御範囲のうち、Ｒmin〜Ｒiの範囲においてのみ、バーナ火力Ｒの増大に連れて対流ファン３４の送風流量が増大する特性となっている。
【００４６】
標準特性マップＦ１のＲ−Ｇ特性は、Ｒmin＜Ｒ＜Ｒmaxにおいて、対流ファン３４の送風流量Ｇが効率優先特性マップＦ２のそれよりも小さくなっているので、対流ファン３４の作動音が低下する。したがって、対流ファン３４の静音性の点で効率優先特性マップＦ２より優れている。一方、効率優先特性マップＦ２は、標準特性マップＦ１より、送風流量Ｇが増大するので、熱交換器２８における熱交換効率が向上する。
【００４７】
図３では、効率優先特性マップＦ２は、Ｒi≦Ｒ≦ＲmaxにおいてＧ＝Ｇmaxに固定されている。効率優先特性マップＦ２を、Ｒi≦Ｒ≦Ｒmaxにおいて、Ｒ≦Ｒiの特性線の延長線（破線で示されている。）にすると、熱交換器２８における熱交換効率は十分に大きくなるが、Ｒmaxの場合の破線上のＧを確保するために、対流ファン３４及び駆動モータ３５が大型化する問題が生じる。したがって、効率優先特性マップＦ２のＲ−Ｇ特性では、Ｒi≦Ｒ≦Ｒmaxにおいて、Ｇ＝Ｇmaxに固定されて、駆動モータ３５の大型化を回避している。しかしながら、Ｒi≦Ｒ＜Ｒmaxにおいても、効率優先特性マップＦ２の方が標準特性マップＦ１より熱交換器２８における熱交換効率は高くなる。
【００４８】
図４は対流ファン３４の送風流量を制御するルーチン（以下、「対流ファン制御ルーチン」という。）のフローチャートである。実際上は、対流ファン制御部４３は、対流ファン３４の送風流量を直接制御するのではなく、駆動モータ３５の駆動電圧の制御を介して間接的に制御している。したがって、ＲＯＭに記憶されている標準特性マップＦ１及び効率優先特性マップＦ２のデータも、バーナ火力Ｒと送風流量Ｇとの関係ではなく、バーナ火力Ｒと駆動モータ３５の駆動電圧Ｖとの関係で記憶されている。
【００４９】
対流ファン制御ルーチンは、密閉式石油温風暖房機１の作動及び停止を切替える運転スイッチがオン（作動）になっている期間では、一定時間が経過するごとに、メインルーチンに割り込む割込みプログラムとして実施される。又はメインルーチンの一部として組み込まれて、最大実行時間間隔を所定値以内に保証されつつ、メインルーチンの一部として実行される。
【００５０】
ＳＴＥＰ１では、送風流量マップ切替部４４は、密閉式石油温風暖房機１の運転が標準モード及び効率優先モードのいずれが選択されているかを判断する。ユーザは、操作部１０における操作により標準モードと効率優先モードとのどちらかを選択する。
【００５１】
標準特性マップＦ１は標準モードに対応し、効率優先特性マップＦ２は効率優先モードに対応する。ユーザは、使用状況に応じて標準モード又は効率優先モードを選択する。ユーザは、対流ファン３４の作動音がさほど気にならず、かつ熱交換器２８における熱交換効率の高い運転を希望する場合には、効率優先モードを選択する。ユーザは、対流ファン３４の静音性を希望する状況下では、標準モードを選択する。
【００５２】
送風流量マップ切替部４４は、標準モードが選択されていると判断すると、処理をＳＴＥＰ１からＳＴＥＰ２へ進ませる。送風流量マップ切替部４４は、効率優先モードが選択されていると判断すると、処理をＳＴＥＰ１からＳＴＥＰ３へ進ませる。
【００５３】
ＳＴＥＰ２では、送風流量マップ切替部４４は、標準特性マップＦ１を選択する。ＳＴＥＰ３では、送風流量マップ切替部４４は、効率優先特性マップＦ２を選択する。送風流量マップ切替部４４は、ＳＴＥＰ２又は３の実行後、処理をＳＴＥＰ２又は３からＳＴＥＰ４へ進ませる。
【００５４】
ＳＴＥＰ４では、対流ファン制御部４３は、現在のバーナ火力ＲをＲnとして認識する。対流ファン制御部４３は、Ｒn＝火力設定部４１における現在の設定火力として、Ｒnを火力設定部４１の出力からＲnを認識する。なお、所定の温度センサを例えばバーナ２０又はその近辺に配備し、該温度センサの出力からＲnを検出することもできる。
【００５５】
ＳＴＥＰ５では、対流ファン制御部４３は、ＳＴＥＰ４で認識したバーナ火力Ｒnを標準特性マップＦ１（標準モードが選択されている場合）又は効率優先特性マップＦ２（効率優先モードが選択されている場合）に適用して、Ｒnに対応する送風流量Ｇnを求める。Ｇnは本発明の設定送風流量に相当する。
【００５６】
ＳＴＥＰ６では、対流ファン制御部４３は、Ｇnに対応する駆動電圧を駆動モータ３５に出力する。この結果、対流ファン３４は、Ｇnを生じる回転速度で回転する。
【００５７】
密閉式石油温風暖房機１が標準モードで運転されている場合は、対流ファン３４の送風流量Ｇはバーナ火力Ｒに対して図３の標準特性マップＦ１の特性となって、各バーナ火力に対する送風流量Ｇが抑えられるので、対流ファン３４の静音性が高まる。一方、密閉式石油温風暖房機１が効率優先モードで運転されている場合は、対流ファン３４の送風流量Ｇはバーナ火力Ｒに対して図３の効率優先特性マップＦ２の特性となって、各バーナ火力に対する送風流量Ｇが高められるので、熱交換器２８の熱交換効率が高まる。
【００５８】
なお、標準特性マップＦ１及び効率優先特性マップＦ２の特性に係るデータは、ＲＯＭに記憶されているが、典型的には、火力制御範囲Ｒmin〜Ｒmaxを有限数ｎで等分割し、Ｒmin，Ｒmax及び等分割点のＲとそれに対応する駆動モータ３５の駆動電圧ＶのみのデータをＲＯＭに記憶する。そして、対流ファン制御部４３が、バーナ火力Ｒに対応する駆動モータ３５の駆動電圧Ｖを求める場合に、バーナ火力ＲのデータがＲＯＭに記憶されていないときは、対流ファン制御部４３は、周知の補間法によりバーナ火力Ｒに対応する駆動電圧Ｖを算出する。
【００５９】
図３の標準特性マップＦ１及び効率優先特性マップＦ２の特性は、線分で設定されているので、ＲＯＭに記憶する標準特性マップＦ１及び効率優先特性マップＦ２のデータは、該線分の傾き、該線分上の所定の１点の（Ｒ，Ｖ）、及びＲmin，Ｒmax，Ｒiのデータのみに留めて、記憶する送風流量マップのデータ量を低減することもできる。なお、その場合は、任意のバーナＲに対する駆動電圧は、線分の式から算出されることになる。
【００６０】
本発明の実施形態について説明した。標準特性マップＦ１は、本発明の第１特性マップに相当し、効率優先特性マップＦ２は、本発明の第２特性マップに相当する。本発明では、第２特性マップとして、効率優先特性マップＦ２以外の効率優先特性マップを採用することもできる。
【００６１】
実施形態では、Ｒiは、手操作による火力調節の「微小」、「小」、「中」及び「大」のうち、「中」の火力として設定したが、「小」に設定したり、「小」と「大」との間の火力に設定することもできる。
【００６２】
実施形態において説明した火力調節部における「微小」、「小」、「中」及び「大」は、手操作で火力を調節する場合に、バーナの火力を所定の火力制御範囲内で設定する際の所定の暖房条件の一例である。実施形態において説明したＴd＞Ｔr＋Ｔh，Ｔr−Ｔh≦Ｔd≦Ｔr＋Ｔh，Ｔd＜Ｔr−Ｔhは、自動で火力を調節する場合に、バーナの火力を所定の火力制御範囲内で設定する際の所定の暖房条件の一例である。
【００６３】
図３では、第２特性としての効率優先特性マップＦ２は、１つだけであるが、複数の効率優先特性マップＦ２ａ，Ｆ２ｂ，・・・、設定することもできる。例えば、Ｆ２ａ，Ｆ２ｂ，・・・の順番で、各バーナ火力Ｒに対して対流ファン３４の送風流量Ｇが多くなるように、設定されてあれば、ユーザは、対流ファンの３４の作動音を許容できる範囲で、熱交換器２８の熱交換効率が最大となる効率優先特性マップを選択して、熱交換器２８の熱交換効率を高くした運転を密閉式石油温風暖房機１に行わせることができる。
【符号の説明】
【００６４】
１・・・密閉式石油温風暖房機、２０・・・バーナ、２７・・・内部排気管（排気通路）、２８・・・熱交換器、３４・・・対流ファン、３７・・・対流通路、４１・・・火力設定部、４２・・・火力制御部、４３・・・対流ファン制御部、４４・・・送風流量マップ切替部。
【図１】
2015017714.tif 000003
【図２】
2015017714.tif 000004
【図３】
2015017714.tif 000005
【図４】
2015017714.tif 000006